(57)【要約】【課題】所望の配合割合のコンクリートを確実に打設することができるコンクリート配合表示システムを提供する。【解決手段】施工現場で打設されるコンクリートを運搬する運搬車に搭載され、配合割合の異なる複数種類のコンクリートのそれぞれに対応した信号を発する複数の発信装置１５と、発信装置からの信号を受信する受信装置１６と、信号に対応してコンクリートの配合割合に関する情報を表示する表示装置１７と、を備えたコンクリート配合表示システム１０であって、受信装置は、複数の発信装置の内、運搬車で運搬されるコンクリートの配合割合に対応して選択された発信装置の信号のみを受信可能に構成され、表示装置は、受信装置で受信した信号に対応した表示を行う。【選択図】図２
2011241565.tif 000002
【特許請求の範囲】
【請求項１】
施工現場で打設されるコンクリートを運搬する運搬車に搭載され、配合割合の異なる複数種類の前記コンクリートのそれぞれに対応した信号を発する複数の発信装置と、
該発信装置からの信号を受信する受信装置と、
前記信号に対応して前記コンクリートの配合割合に関する情報を表示する表示装置と、を備えたコンクリート配合表示システムであって、
前記受信装置は、前記複数の発信装置の内、前記運搬車で運搬される前記コンクリートの配合割合に対応して選択された発信装置の信号のみを受信可能に構成され、
前記表示装置は、前記受信装置で受信した信号に対応した表示を行うことを特徴とするコンクリート配合表示システム。
【請求項２】
前記複数の発信装置の内、前記選択された発信装置以外の発信装置は、該発信装置から発せられる電波が遮蔽される箇所に配されることを特徴とする請求項１に記載のコンクリート配合表示システム。
【発明の詳細な説明】
【技術分野】
【０００１】
本発明は、コンクリート配合表示システムに関するものである。
【背景技術】
【０００２】
従来から、施工現場で打設されるコンクリートは、構造体の要求品質や環境条件などにより配合割合（水、セメント、骨材、砕石などの割合）が設定される。この配合割合を適切に設定することにより、構造体は所望の品質および強度を確保することができる。施工現場では、コンクリートの配合割合が決定すると、ミキサー車（コンクリートの運搬車）やダンプに所定の配合割合で調合されたコンクリートを充填し、そのミキサー車やダンプを所定の位置（打設箇所近傍）まで移動して、コンクリートの打設作業を行っている。
【０００３】
ここで、特許文献１では、施工現場においていつ、どの場所に、どのようなコンクリートが打設されたかを容易に把握することができるコンクリートの品質管理方法が提案されている。
【０００４】
具体的には、コンクリート打設時におけるコンクリートの性状に関するデータを計測し、このデータを記録媒体に記録し、この記録媒体をコンクリートに混入し、打設する。そして、硬化したコンクリート中の記録媒体のデータを読み取って、将来にわたって、施工現場において、どの場所にどのようなコンクリートが打設されたかを把握するものである。
【０００５】
また、特許文献２にも、セメント構築物に使用されたモルタルおよびコンクリートの情報を直接ＩＣタグに記入して埋設するとともに、コンピュータに入力し、構造体の品質を管理する品質管理方法が提案されている。
【先行技術文献】
【特許文献】
【０００６】
【特許文献１】特開２００６−１４５３８５号公報
【特許文献２】特開２００６−１８３２５７号公報
【発明の概要】
【発明が解決しようとする課題】
【０００７】
ここで、大型現場などでは、バッチャープラントでのコンクリートの練混ぜ作業と、打設現場へのコンクリートの運搬は同時進行で行われている。また、大型現場では、複数箇所で同時にコンクリートの打設作業が行われたりすることがある。このような場合であって、打設箇所によりコンクリートの配合割合が異なる場合には、ミキサー車を適切に誘導しないと、間違って異なる配合割合のコンクリートが打設されてしまう虞がある。
【０００８】
しかしながら、特許文献１や特許文献２の品質管理方法では、コンクリートに該コンクリートの情報を記憶させた記録媒体（ＩＣタグ）を埋設しているため、将来的にコンクリートの品質管理を行うことは可能であるが、配合割合の異なるコンクリートが間違って打設されるのを防止することはできない。
【０００９】
そこで、本発明は、上記事情を鑑みてなされたものであり、所望の配合割合のコンクリートを確実に打設することができるコンクリート配合表示システムを提供するものである。
【課題を解決するための手段】
【００１０】
上記の課題を解決するために、本発明のコンクリート配合表示システムは、施工現場で打設されるコンクリートを運搬する運搬車に搭載され、配合割合の異なる複数種類の前記コンクリートのそれぞれに対応した信号を発する複数の発信装置と、該発信装置からの信号を受信する受信装置と、前記信号に対応して前記コンクリートの配合割合に関する情報を表示する表示装置と、を備えたコンクリート配合表示システムであって、前記受信装置は、前記複数の発信装置の内、前記運搬車で運搬される前記コンクリートの配合割合に対応して選択された発信装置の信号のみを受信可能に構成され、前記表示装置は、前記受信装置で受信した信号に対応した表示を行うことを特徴としている。
【００１１】
このように構成することで、運搬車に搭載された発信装置からコンクリートの配合割合に対応した信号が発信され、その信号のみを受信装置で受信するとともに、表示装置に表示することができるため、表示装置を確認することにより運搬車を所定の打設箇所へ確実に導くことができる。したがって、施工現場において、所望の配合割合のコンクリートを所望の箇所へ確実に打設することができる。
【００１２】
また、本発明のコンクリート配合表示システムは、前記複数の発信装置の内、前記選択された発信装置以外の発信装置は、該発信装置から発せられる電波が遮蔽される箇所に配されることを特徴としている。
【００１３】
このように構成することで、常に信号を発信し続ける発信装置を用いても、選択された発信装置の信号のみを確実に受信装置で受信することができる。つまり、受信装置で間違った信号を受信して、誤った情報を表示装置に表示することを防止することができる。
【発明の効果】
【００１４】
本発明のコンクリート配合表示システムによれば、運搬車に搭載された発信装置からコンクリートの配合割合に対応した信号が発信され、その信号のみを受信装置で受信するとともに、表示装置に表示することができるため、表示装置を確認することにより運搬車を所定の打設箇所へ確実に導くことができる。したがって、施工現場において、所望の配合割合のコンクリートを所望の箇所へ確実に打設することができる。
【図面の簡単な説明】
【００１５】
【図１】本発明の実施の形態における施工現場の概略構成図である。
【図２】本発明の実施の形態におけるコンクリート配合表示システムの概略構成図である。
【発明を実施するための形態】
【００１６】
次に、本発明の実施形態を図１〜図２に基づいて説明する。なお、本実施形態では、バッチャープラントが設けられた大型施工現場（例えば、ダムなど）にコンクリート配合表示システムを採用した場合の説明をする。
【００１７】
図１は施工現場の概略構成図である。図１に示すように、施工現場２０の一画にコンクリートを製造するバッチャープラント１１が設けられている。このバッチャープラント１１では、配合割合の異なるコンクリートを製造することができるように構成されている。バッチャープラント１１とコンクリートの打設現場１２との間は、ミキサー車（運搬車）１３が行き来できるように運搬路１４が整備されている。また、施工現場２０の所定の箇所に、ミキサー車１３に搭載されたＩＣタグ（発信装置）１５からの信号を受信可能な受信装置１６が設置されている。さらに、施工現場２０の別の所定の箇所に、受信装置１６で受信した信号に対応した表示を行うことができる表示装置１７が設置されている。このＩＣタグ１５、受信装置１６および表示装置１７でコンクリート配合表示システム１０を構成している。
【００１８】
次に、コンクリート配合表示システム１０の構成について説明する。なお、本実施形態では、４種類の配合割合の異なるコンクリート（配合割合Ａ、配合割合Ｂ、配合割合Ｃ、配合割合Ｍの各コンクリート）を製造・打設する場合の説明をする。
【００１９】
ミキサー車１３には、４個のＩＣタグ１５（１５Ａ，１５Ｂ，１５Ｃ，１５Ｍ）が搭載されている。システム未使用時には、ＩＣタグ１５はミキサー車１３の運転席近傍に設置された金属製の筐体２８内に収納されている。
【００２０】
図２はコンクリート配合表示システム１０の概略構成図である。受信装置１６は、バッチャープラント１１と打設現場１２の途中で運搬路１４の脇に設置されている。図２に示すように、受信装置１６は、ＩＣタグ１５から発せられる信号を受信する受信機２１と、受信機２１に接続されたリレー接点２２と、を備えている。受信機２１には、ＩＣタグ１５からの信号を受信するアンテナ３１と、４つのチャンネル３２が設けられており、各チャンネル３２には無電圧接点３３が形成されている。つまり、受信機２１は、ＩＣタグ１５からの信号をアンテナ３１で受信すると、その信号に対応したチャンネル３２の無電圧接点３３が閉じられるように構成されている。また、リレー接点２２は、各チャンネル３２に対応して４個設けられており、チャンネル３２の無電圧接点３３が閉じると、それに対応したリレー接点２２が駆動して、表示装置１７へ電源を供給することができるように構成されている。
【００２１】
表示装置１７は、打設現場１２の管理者が該打設現場１２付近から確実に視認できる位置に設置されている。表示装置１７は、配合割合が認識できる表示（Ａ，Ｂ，Ｃ，Ｍ）２５と、各表示２５に対応した回転灯２６と、を備えている。回転灯２６は各リレー接点２２に対応して４個設置されており、リレー接点２２が閉じることにより回転灯２６に電源が供給され、回転灯２６を起動させることができるようになっている。
【００２２】
次に、このように構成されたコンクリート配合表示システム１０を用いてコンクリートを打設する方法について説明する。
【００２３】
まず、バッチャープラント１１にて打設現場１２に打設するコンクリートを製造する。コンクリートは、構造体の要求品質や環境条件などに基づいて配合割合（水、セメント、骨材、砕石などの割合）を決定して製造する。
【００２４】
続いて、製造されたコンクリートをミキサー車１３へ充填する。このとき、バッチャープラント１１の管理者が無線などによりミキサー車１３の運転手へ充填されるコンクリートの配合割合を伝える。運転手は、コンクリートの配合割合に対応したＩＣタグ１５を金属製の筐体２８から取り出し、例えばダッシュボード上に配置する。なお、このとき他のＩＣタグ１５は筐体２８内に収納したままである。また、バッチャープラント１１の管理者は、運転手に対して充填されるコンクリートの配合割合に対応した記号（例えば、Ａ，Ｂ，Ｃ，Ｍ）を伝えてもよい。
【００２５】
続いて、ミキサー車１３にコンクリートが充填されたら、運転者はミキサー車１３を運転して打設現場１２へと向かう。このとき、ミキサー車１３は、運搬路１４上を走行する。
【００２６】
運搬車１３が、信号受信可能エリア２７（図１参照）に進入すると、ＩＣタグ１５から発せされる信号を受信装置１６の受信機２１が受信する。すると、受信機２１の４つのチャンネル３２の内、１つのチャンネル３２の無電圧接点３３が閉じ、それに対応したリレー接点２２が閉じて、表示装置１７の１つの回転灯２６に電源が供給される。そして、電源が供給された回転灯２６が起動する。
【００２７】
続いて、運転者は、ミキサー車１３を打設現場１２近傍まで走行させる。そして、打設現場１２の管理者は、ミキサー車１３が到着したときに起動している回転灯２６の表示を確認した後、ミキサー車１３を打設現場１２の所望の位置へ誘導する。例えば、打設現場１２の２，３箇所で同時にコンクリート打設作業を行っている場合であって、打設箇所によって打設するコンクリートの配合割合が異なる際には、打設現場１２の管理者が、表示装置１７の起動している回転灯２６を視認することでミキサー車１３に充填されているコンクリートの配合割合を把握し、ミキサー車１３を所定の打設箇所に誘導する。このようにすることで、施工現場２０において、所望の配合割合のコンクリートを所望の箇所へ確実に打設することができる。
【００２８】
本実施形態によれば、ミキサー車１３に搭載されたＩＣタグ１５からコンクリートの配合割合に対応した信号が発信され、その信号のみを受信装置１６で受信するとともに、表示装置１７に表示することができるため、表示装置１７を確認することによりミキサー車１３を所定の打設箇所へ確実に導くことができる。したがって、施工現場２０において、所望の配合割合のコンクリートを所望の箇所へ確実に打設することができる。
【００２９】
また、複数のＩＣタグ１５の内、選択されたＩＣタグ１５以外のＩＣタグ１５は、該ＩＣタグ１５から発せられる電波が遮蔽されるように金属製の筐体２８に収納するように構成したため、常に信号を発信し続けるＩＣタグを用いても、選択されたＩＣタグ１５の信号のみを確実に受信装置１６で受信することができる。つまり、受信装置１６で間違った信号を受信して、誤った情報を表示装置１７に表示することを防止することができる。
【００３０】
尚、本発明は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【００３１】
例えば、本実施形態では、発信装置としてＩＣタグを用いた場合の説明をしたが、特定の信号を発信する機能を有するものであればＩＣタグ以外のものを採用してもよい。
【００３２】
また、本実施形態では、ミキサー車の運転手がバッチャープラントの管理者の指示により所定のＩＣタグを選択するように構成した場合の説明をしたが、例えば、ミキサー車にコンクリートを充填する際に、自動的に所定のＩＣタグを選択し、ミキサー車の所定の位置に取り付けるように構成してもよい。
【００３３】
さらに、本実施形態では、表示装置にコンクリートの配合割合に対応した回転灯を起動して打設現場の管理者が認識できるように構成したが、その際に、ミキサー車の車両番号なども一緒に表示するように構成してもよい。
【００３４】
そして、本実施形態では、バッチャープラントで製造されたコンクリートをミキサー車へ充填して運搬する場合の説明をしたが、例えば、バッチャープラントで練り混ぜを行ったコンクリートをダンプで運搬してもよい。また、施工現場では、コンクリートを充填したミキサー車やダンプを直接打設箇所直近まで移動させてコンクリートを放出するように構成してもよいし、所定の位置でミキサー車やダンプに充填されたコンクリートをコンクリートバケットに受け渡し、その後、コンクリートバケットをクレーンで打設箇所まで運搬し、コンクリートを放出するような構成にしてもよい。
【符号の説明】
【００３５】
１０…コンクリート配合表示システム  １３…ミキサー車（運搬車）  １５（１５Ａ，１５Ｂ，１５Ｃ，１５Ｍ）…ＩＣタグ（発信装置）  １６…受信装置  １７…表示装置  ２０…施工現場  
【図１】
2011241565.tif 000003
【図２】
2011241565.tif 000004